(57)【要約】【課題】受信処理を行う放送電波を第１の放送電波から第２の放送電波に所定の条件で切り換える際に、第２の放送電波の上側および下側のヘテロダイン方式のうち良好な方に選択的に切り換える場合に、音質劣化を抑えることができる受信装置を提供する。【解決手段】  受信機１は、例えば、ＲＤＳ放送受信機であり、ＡＦサーチ中のミュート動作に特徴を有している。チューナ２は、ＬＯＷ−ＩＦのワンチップタイプのチューナであり、ＲＤＳのＡＦサーチはＡＦの受信環境により、適切なヘテロダイン方式を選択する。上側ヘテロダイン方式の受信環境情報の取得動作と、下側ヘテロダイン方式の受信環境情報の取得動作との間に、ミュート解除を行い、元の局の放送電波を受信処理する。これにより、ＡＦサーチに伴うミュート時間を短縮し、音質劣化を抑えることができる。【選択図】  図２
2009049954.tif 000002
【特許請求の範囲】
【請求項１】
受信処理を行う受信電波を第１の受信電波から第２の受信電波に所定の条件で切り換える受信装置において、
受信電波からヘテロダイン方式にて中間周波数信号を生成する周波数変換手段と、
前記周波数変換手段が生成した前記中間周波数信号に応じた音声出力を行う音声出力手段と、
前記音声出力手段にミュート動作を行わせている間に前記周波数変換手段が生成した前記第２の受信電波の前記中間周波数信号を基に前記第２の受信電波の受信環境を評価する評価動作を行い、当該評価動作の結果に基づいて、前記第２の受信電波へ切り換えるか否かを判断する制御手段と
を有し、
前記制御手段は、前記第２の受信電波から上側ヘテロダイン方式にて得た前記中間周波数信号についての第１の前記評価動作と、前記第２の受信電波から下側ヘテロダイン方式にて得た前記中間周波数信号についての第２の前記評価動作とを、前記ミュート動作を解除して前記第１の受信電波に対応した前記中間周波数信号に応じた音声出力を行わせるミュート解除期間を間に設けて個別に行い、前記第１の評価動作および前記第２の評価動作の結果に基づいて前記第２の受信電波へ切り換えるか否かを判断し、前記第２の受信電波に切り換えると判断した場合に、前記第２の受信電波から前記上側ヘテロダイン方式にて得た前記中間周波数信号と前記第２の受信電波から前記下側ヘテロダイン方式にて得た前記中間周波数信号とのうち評価が良好な前記中間周波数信号が前記音声出力手段に出力されるように制御する手段である、
ことを特徴とする受信装置。
【請求項２】
前記制御手段は、
前記第１の受信電波の受信環境が第１の所定の基準より低い場合に、
前記第１の評価動作と前記第２の評価動作とを、前記ミュート動作を解除せずに連続して行う手段である、
ことを特徴とする請求項１に記載の受信装置。
【請求項３】
前記制御手段は、
前記第１の評価動作および前記第２の評価動作のうち先に実行した一方の前記評価動作において前記評価動作の結果が第２の所定の基準を満たさない場合に、他方の前記評価動作を行わずに、再び前記一方の評価動作に戻る手段である、
ことを特徴とする請求項１または請求項２に記載の受信装置。
【請求項４】
受信処理を行う受信電波を第１の受信電波から第２の受信電波に所定の条件で切り換える受信方法において、
受信電波からヘテロダイン方式で中間周波数信号を生成する周波数変換工程と、
前記周波数変換工程で生成した前記中間周波数信号に応じた音声出力を行う音声出力工程と、
前記音声出力においてミュート動作を行わせている間に前記周波数変換工程で生成した前記第２の受信電波の前記中間周波数信号を基に前記第２の受信電波の受信環境を評価する評価動作を行い、当該評価動作の結果に基づいて、前記第２の受信電波へ切り換えるか否かを判断する制御工程と
を有し、
前記制御工程は、前記第２の受信電波から上側ヘテロダイン方式にて得た前記中間周波数信号についての第１の前記評価動作と、前記第２の受信電波から下側ヘテロダインにて得た前記中間周波数信号についての第２の前記評価動作とを、前記ミュート動作を解除して前記第１の受信電波に対応した前記中間周波数信号に応じた音声出力を行わせるミュート解除期間を間に設けて個別に行い、前記第１の評価動作および前記第２の評価動作の結果に基づいて、前記第２の受信電波へ切り換えるか否かを判断し、前記第２の受信電波に切り換えると判断した場合に、前記第２の受信電波から前記上側ヘテロダイン方式にて得た前記中間周波数信号と前記第２の受信電波から前記下側ヘテロダインにて得た前記中間周波数信号とのうち評価が良好な前記中間周波数信号に応じて前記音声出力が行われるように制御する工程である、
ことを特徴とする受信方法。
【発明の詳細な説明】
【技術分野】
【０００１】
本発明は、受信処理を行う受信電波を受信環境に応じて切り換える受信装置および受信方法に関するものである。
【背景技術】
【０００２】
音声信号とＲＤＳ（Radio Data System）用信号とが多重化した信号を受信して処理するラジオ受信機がある。
ＲＤＳ は、欧州で普及した車載ラジオの標準機能であり、放送局名や歌の情報など、ユーザーが聴いているラジオ番組に関する情報を提供し、必要に応じて交通情報やニュースなどの番組へ自動的に切り替えることができる。
【０００３】
上述したラジオ受信機が使用される環境では、複数の放送局が同一番組を放送している。ラジオ受信機は、例えば、自動車等で移動中に、選曲中の放送局からの放送電波の電界強度が低下すると、同じ番組を放送中の他の放送局を探索する。そして、同じ番組の放送電波が所定の電界強度の放送局を特定すると、その放送局からの放送電波に自動的に切り換える。この動作は、ＡＦ(Alternative Frequency)サーチと呼ばれている。
【０００４】
上述したラジオ受信機では、他の放送局からの電波を常時チェックしており、選曲中の番組を放送している他の放送局から所定の電界強度以上の放送電波を検出すると、ミュート動作を行って、当該他の放送局からの番組の放送電波（切り換え候補先の放送電波）に一時的に切り換える。そして、当該ラジオ受信機は、この切り換えている間に当該他の放送局からの放送電波の受信環境（電界強度、ノイズ等の信号品質、及びＩＦカウント）を確認する。このとき、上述したラジオ受信機では、ＡＦサーチにおける上記ミュート動作の間に、切り換え候補先の放送電波を上側ヘテロダインして得た中間周波数信号についてのみ、その受信環境を確認している。
【０００５】
【特許文献１】特開平９−２９４０８１号公報
【発明の開示】
【発明が解決しようとする課題】
【０００６】
ところで、近年、上述したＲＤＳのラジオ受信機において、中間周波数として通常の１０．７ＭＨｚに比べて大幅に低い１５０ｋＨＺを採用したＬＯＷ−ＩＦチューナが用いられることがある。このようなＬＯＷ−ＩＦチューナを用いた場合に、イメージ周波数がＦＭバンド帯域内に存在するイメージ妨害が発生しやすいという問題がある。
そのため、切り換え候補先の放送電波を上側ヘテロダイン方式にて得た中間周波数信号だけでなく、下側ヘテロダイン方式にて得た中間周波数信号についても受信環境を確認し、より良好なヘテロダイン方式に切り換えを行うということが考えられている。
しかしながら、この場合に、上側および下側のヘテロダイン方式にて得た双方の中間周波数信号についての受信環境を一括取得して判断しようとすると、連続したミュート時間が長くなる。すなわち、放送電波に応じた音声出力が行われない連続時間が長くなる。そのため、音の途切れが聴覚的に認識され易くなり、それが音質劣化の要因となるという問題がある。
【０００７】
本発明はかかる事情に鑑みてなされたものであり、その目的は、受信処理を行う受信電波を第１の受信電波から第２の受信電波の上側および下側のヘテロダイン方式のうち良好な方に所定の条件で切り換える場合に、連続したミュート時間を短縮して音が途切れることによる音質劣化を抑制することができる受信装置および受信方法を提供することにある。
【課題を解決するための手段】
【０００８】
本発明の受信装置は、上述した従来技術の問題点を解決し、上述した目的を達成するために、受信処理を行う受信電波を第１の受信電波から第２の受信電波に所定の条件で切り換える受信装置であって、受信電波からヘテロダイン方式にて中間周波数信号を生成する周波数変換手段と、前記周波数変換手段が生成した前記中間周波数信号に応じた音声出力を行う音声出力手段と、前記音声出力手段にミュート動作を行わせている間に前記周波数変換手段が生成した前記第２の受信電波の前記中間周波数信号を基に前記第２の受信電波の受信環境を評価する評価動作を行い、当該評価動作の結果に基づいて、前記第２の受信電波へ切り換えるか否かを判断する制御手段とを有する。
ここで、前記制御手段は、前記第２の受信電波から上側ヘテロダイン方式にて得た前記中間周波数信号についての第１の前記評価動作と、前記第２の受信電波から下側ヘテロダイン方式にて得た前記中間周波数信号についての第２の前記評価動作とを、前記ミュート動作を解除して前記第１の受信電波に対応した前記中間周波数信号に応じた音声出力を行わせるミュート解除期間を間に設けて個別に行い、前記第１の評価動作および前記第２の評価動作の結果に基づいて前記第２の受信電波へ切り換えるか否かを判断し、前記第２の受信電波に切り換えると判断した場合に、前記第２の受信電波から前記上側ヘテロダイン方式にて得た前記中間周波数信号と前記第２の受信電波から前記下側ヘテロダイン方式にて得た前記中間周波数信号とのうち評価が良好な前記中間周波数信号が前記音声出力手段に出力されるように制御する手段である。
【０００９】
本発明の受信装置では、制御手段が、受信処理を行う受信電波を第１の受信電波から第２の受信電波に切り換える際に、ミュート動作を行わせ、その間に前記第２の受信電波から上側ヘテロダイン方式にて得た前記中間周波数信号についての第１の前記評価動作を行う。
また、前記制御手段が、ミュート動作を行わせている間に、前記第２の受信電波から下側ヘテロダインにて得た前記中間周波数信号についての第２の前記評価動作を行う。
このとき、前記制御手段は、前記第１の評価動作と前記第２の評価動作との間に、前記ミュート動作を解除して前記第１の受信電波に対応した前記中間周波数信号に応じた音声出力を行わせるミュート解除期間を設ける。
そして、前記制御手段が、前記第１の評価動作および前記第２の評価動作の結果に基づいて、前記第２の受信電波へ切り換えるか否かを判断する。
本発明の受信装置では、前記第１の評価動作と前記第２の評価動作との間にミュート動作の解除期間を設けることで、これらの動作を連続して行う場合に比べて、連続したミュート時間を短縮できる。これにより、受信電波に応じた音声出力が連続して行われない時間を短くでき、音の途切れが聴覚的に認識され難くなり、音質を向上できる。
【００１０】
好適には、本発明の受信装置の前記制御手段は、前記第１の受信電波の受信環境が第１の所定の基準より低い場合に、前記第１の評価動作と前記第２の評価動作とを、前記ミュート動作を解除せずに連続して行う手段である。
これより、第１の受信電波から第２の受信電波に切り換えるまでの時間を短縮でき、受信状態が不良の第１の受信電波を受信処理する時間を短縮できる。
【００１１】
好適には、本発明の受信装置の前記制御手段は、前記第１の評価動作および前記第２の評価動作のうち先に実行した一方の前記評価動作において前記評価動作の結果が第２の所定の基準を満たさない場合に、他方の前記評価動作を行わずに、再び前記一方の評価動作に戻る手段である。
これにより、不要な評価動作を少なくでき、処理時間を短縮できる。
【００１２】
本発明の受信方法は、受信処理を行う受信電波を第１の受信電波から第２の受信電波に所定の条件で切り換える受信方法であって、受信電波からヘテロダイン方式で中間周波数信号を生成する周波数変換工程と、前記周波数変換工程で生成した前記中間周波数信号に応じた音声出力を行う音声出力工程と、前記音声出力においてミュート動作を行わせている間に前記周波数変換工程で生成した前記第２の受信電波の前記中間周波数信号を基に前記第２の受信電波の受信環境を評価する評価動作を行い、当該評価動作の結果に基づいて、前記第２の受信電波へ切り換えるか否かを判断する制御工程とを有する。
こおで、前記制御工程は、前記第２の受信電波から上側ヘテロダイン方式にて得た前記中間周波数信号についての第１の前記評価動作と、前記第２の受信電波から下側ヘテロダインにて得た前記中間周波数信号についての第２の前記評価動作とを、前記ミュート動作を解除して前記第１の受信電波に対応した前記中間周波数信号に応じた音声出力を行わせるミュート解除期間を間に設けて個別に行い、前記第１の評価動作および前記第２の評価動作の結果に基づいて、前記第２の受信電波へ切り換えるか否かを判断し、前記第２の受信電波に切り換えると判断した場合に、前記第２の受信電波から前記上側ヘテロダイン方式にて得た前記中間周波数信号と前記第２の受信電波から前記下側ヘテロダインにて得た前記中間周波数信号とのうち評価が良好な前記中間周波数信号に応じて前記音声出力が行われるように制御する工程である。
本発明の受信方法では、前述した本発明の受信装置と同様に、前記第１の評価動作と前記第２の評価動作との間にミュート動作の解除期間を設けることで、これらの動作を連続して行う場合に比べて、１回のミュート時間を短縮できる。
【発明の効果】
【００１３】
本発明によれば、受信処理を行う受信電波を第１の受信電波から第２の受信電波の上側および下側のヘテロダイン方式のうち良好な方に所定の条件で切り換える場合に、連続したミュート時間を短縮して音が途切れることによる音質劣化を抑制することができる受信装置および受信方法を提供することができる。
【発明を実施するための最良の形態】
【００１４】
以下、本発明の実施形態に係る受信機について説明する。
図１は、本発明の実施形態に係る受信機１の構成図である。
図１に示すように、受信機１は、例えば、チューナ２、スピーカ４およびマイクロコンピュータ６を有する。
【００１５】
受信機１では、チューナ２がマイクロコンピュータ６からの制御に基づいて、ＡＦ（Alternative  Frequency）サーチ動作を行う。
受信機１は、例えば、ＲＤＳ（Radio  Data  System）放送用受信機であり、ＡＦサーチ中のミュート動作に特徴を有している。チューナ２は、ＬＯＷ−ＩＦ（Intermediate  Frequency）のワンチップタイプであり、ＲＤＳのＡＦサーチにおいて、その受信環境に応じて上側ヘテロダイン方式および下側ヘテロダイン方式のうち適切なヘテロダイン方式を選択する。
このとき、ＡＦサーチのミュート時間内に、上側および下側のヘテロダイン方式にて得た中間周波数信号に基づいて受信環境情報を取得する必要があるが、受信機１では、上側ヘテロダイン方式についての受信環境情報の取得動作と、下側ヘテロダイン方式についての受信環境情報の取得動作との間に、ミュート解除期間を設けている。そして、このミュート解除期間内に、元の放送局の放送電波を受信処理する。これにより、ＡＦサーチに伴う１回のミュート動作の時間を短縮し、可聴される音質劣化を抑えている。
【００１６】
図１に示すように、チューナ２は、例えば、周波数変換回路１１、局発振回路１３、中間周波数増幅回路１５、検波回路１７、デコーダ１９、電界強度回路２１、ミューティング回路２９および制御回路３１を有する。
チューナ２は、上述したように、ＬＯＷ−ＩＦのワンチップタイプであり、少ない部品点数で構成される。
【００１７】
図１に示す周波数変換回路１１が本発明の周波数変換手段の一例であり、中間周波増幅回路１５、検波回路１７およびデコーダ１９が本発明の音声出力手段の一例であり、制御回路３１が本発明の制御手段の一例である。
【００１８】
周波数変換回路１１は、アンテナ９で受信した放送電波（ＲＦ信号）Ｓ９と、局発振回路１３からの同調（局発振）周波数信号Ｓ１３とを混合して中間周波数信号Ｓ１１を生成し、これを中間周波数増幅回路１５に出力する。
なお、周波数変換回路１１で生成された中間周波数信号Ｓ１１を基にその値がカウントされ、中間周波数カウント値ＩＦＣとなる。ここで、この中間周波数カウント値ＩＦＣは、受信した放送電波Ｓ９と同調周波数信号Ｓ１３との誤差を示している。
【００１９】
局発振回路１３は、例えば，ＰＬＬ(Phase-locked loop)回路、ローパスフィルタ、ＶＣＯ(Voltage Controlled Oscillator)などを有し、制御回路３１からの制御信号Ｓ３１ｂに基づいて、所望の放送局の周波数に応じた同調周波数信号Ｓ１３を生成する。局発振回路１３は、同調周波数信号Ｓ１３を周波数変換回路１１に出力する。
【００２０】
中間周波数増幅回路１５は、周波数変換回路１１から入力した中間周波数信号Ｓ１１を増幅して中間周波数信号Ｓ１５を生成し、これを検波回路１７に出力する。
【００２１】
検波回路１７は、ダイオードやコンデンサなどを組み合わせて構成され、中間周波数増幅回路１５からの中間周波数信号Ｓ１５の高周波電流成分から低周波電流成分を取り出すことにより、可聴周波数信号およびＲＤＳ変調信号を検波して検波信号Ｓ１７を生成する。検波回路１７は、検波信号Ｓ１７をデコーダ１９に出力する。
【００２２】
デコーダ１９は、検波回路１７から入力した検波信号Ｓ１７をデコードして音声出力信号Ｓ１９ａを生成し、これをスピーカ４に出力する。
このとき、デコーダ１９は、検波信号Ｓ１７に含まれるＲＤＳ変調信号をデコードし、そのデコード結果を示すＲＤＳ信号Ｓ１９ｂを制御回路３１に出力する。
【００２３】
電界強度回路２１は、中間周波数増幅回路１５からの中間周波数信号Ｓ１５をピーク検波して受信電界強度を検出し、検出結果を示す受信電界強度信号Ｓ２１を制御回路３１に出力する。
【００２４】
ミューティング回路２９は、制御回路３１からのミュート動作指示信号Ｓ３１ａに基づいてミュート動作を行う。ミューティング回路２９は、ミュート動作時に、ミュート信号Ｓ２９をスピーカ４に出力する。
【００２５】
制御回路３１は、取得した受信環境情報Ｓ３１ｃをマイクロコンピュータ６に出力する。また、制御回路３１は、マイクロコンピュータ６からの制御信号Ｓ６に基づいて、チューナ２の全体動作を統括的に制御する。
すなわち、制御回路３１は、以下に示すように、ＡＦサーチの動作を制御する。
【００２６】
以下、制御回路３１の処理と関連付けて受信機１のＡＦサーチ動作の一例を説明する。
図２〜図４は、受信機１のＡＦサーチ動作例を説明するためのフローチャートである。
受信機１によるＡＦサーチ動作は、受信状態が比較的良い場合に採用される分割取得モードと、受信状態が悪い場合に採用される一括取得モードとがある。
分割取得モードは、上側ヘテロダイン方式についての受信環境評価動作と下側ヘテロダイン方式についての受信環境評価動作との間にミュート解除期間を設けるモードである。分割取得モードは、ある程度良好な受信環境において１回のミュート期間を短縮して音質劣化を抑制する場合に有効である。
一方、一括取得モードは、上側ヘテロダイン方式についての受信環境評価動作と下側ヘテロダイン方式についての受信環境評価動作との間にミュート解除期間を設けずに、これらの動作を連続して行うモードである。一括取得モードは、不良な受信環境において、より早いタイミングで他の放送局からの放送電波に切り換える必要がある場合に有効である。
ステップＳＴ１３（図２）〜ステップＳＴ２９（図３）が分割取得モードに対応している。また、ステップＳＴ３１〜ＳＴ４０（図４）が一括取得モードに対応している。
【００２７】
制御回路３１は、例えば、電界強度回路２１からの受信電界強度信号Ｓ２１が示す受信電界強度をマイクロコンピュータ６に出力する。
マイクロコンピュータ６は、制御回路３１から入力した受信電界強度に基づいて、現在使用している放送電波(ＲＦ信号)の受信環境が、同調周波数切り換えのための受信環境条件を満たしているかを判断する（ステップＳＴ１１）。
ここで、当該受信環境条件は、例えば、受信した放送電波の品質が、適切な音声出力が困難な程度に悪いことを判断する指標となる各種の項目を基に予め決定されている。当該各種の項目としては、電界強度、ＳＱ（Signal Quality）、中間周波数カウント値ＩＦＣについては、予め決められたしきい値との比較結果が用いられる。
【００２８】
マイクロコンピュータ６は、上記同調周波数切り換えのための受信環境条件を満たしていると判断した場合に、分割取得モードと一括取得モードとのいずれを選択するかを判断する（ステップＳＴ１２）。
マイクロコンピュータ６は、現在の受信環境が、所定の基準より良い場合に分割取得モードを選択し、悪い場合に一括取得モードを選択する。当該所定の基準としては、予め実験により、分割取得モードと一括取得モードとの何れで切り換えを行うことが適しているかを受信強度等を基に決定した基準を用いる。
マイクロコンピュータ６は、分割取得モードを選択した場合にステップＳＴ１３に進み、一括取得モードを選択した場合に図４に示すステップＳＴ３１に進む（ステップＳＴ１２）。
【００２９】
以下、分割取得モードが選択された場合の動作例を説明する。
マイクロコンピュータ６は、制御回路３１を介して、ミューティング回路２９にミュート動作指示信号Ｓ３１ａを出力する。ミューティング回路２９は、当該ミュート動作指示信号Ｓ３１ａにより、ミュート信号Ｓ２９を生成し、これをスピーカ４に出力する（ステップＳＴ１３）。
また、マイクロコンピュータ６は、制御回路３１を介して、局発振回路１３を制御して、切り換え候補先の局の放送電波の上側ヘテロダイン方式の同調周波数への切り換え指示を出力する（ステップＳＴ１３）。
局発振回路１３は、上記切り替え指示に基づいて、切り換え候補先の局の放送電波の上側ヘテロダイン方式の同調周波数信号Ｓ１３を生成し、これを周波数変換回路１１に出力する。
これにより、周波数変換回路１１が、切り換え候補先の局の放送電波の上側ヘテロダイン方式にて中間周波数信号Ｓ１１を生成する。
【００３０】
制御回路３１は、上記上側ヘテロダイン方式にて得た中間周波数信号Ｓ１１に基づいて、切り換え候補先の局の放送電波の受信環境情報を取得する（ステップＳＴ１４）。
具体的には、制御回路３１は、例えば、周波数変換回路１１が出力する中間周波数信号Ｓ１１に基づいて、そのＳＱ(Signal Quality)や、中間周波数カウント値（ＩＦＣ）等の情報を上記受信環境情報として生成あるいは取得する。
また、制御回路３１は、電界強度回路２１から入力した受信電界強度信号Ｓ２１が示す受信電界強度を上記受信環境情報として取得する。
制御回路３１は、マイクロコンピュータ６からの要求に応じて、切り換え候補先の局の放送電波の上記上側ヘテロダイン方式にて取得した受信環境情報Ｓ３１ｃをマイクロコンピュータ６に出力する（ステップＳＴ１４）。
【００３１】
マイクロコンピュータ６は、制御回路３１から入力した受信環境情報に基づいて、局切り換えのための所定基準を満たすか否かを判断する（ステップＳＴ１５）。
当該所定基準は、例えば、切り換え候補先の局の放送電波の上記上側ヘテロダイン方式にて得た信号が、次の下側ヘテロダイン方式にて得た信号を確認する価値がある程度の品質等を有しているかを判断する各種の項目を示している。当該項目としては、電界強度について予め決められたしきい値との比較結果などが用いられる。なお、電界強度以外に、ＳＱ(Signal Quality)や、中間周波数カウント値（ＩＦＣ）等についてのしきい値との比較結果を用いる場合もある。
マイクロコンピュータ６は、上記所定の基準を満たさないと判断した場合に、元の周波数に切り換えて、ミュートを解除する（ステップＳＴ４１）。その後、ステップＳＴ１３に戻る。
【００３２】
一方、マイクロコンピュータ６は、上記所定の基準を満たすと判断した場合に、制御回路３１を介して、元の局の放送電波のヘテロダイン方式の同調周波数への切り替え指示を周波数変換回路１１に出力する（ステップＳＴ１６）。
局発振回路１３は、上記切り替え指示に基づいて、元の局の放送電波のヘテロダイン方式の同調周波数信号Ｓ１３を生成し、これを周波数変換回路１１に出力する。
これにより、周波数変換回路１１が、元の局の放送電波のヘテロダイン方式にて中間周波数信号Ｓ１１を生成する。
また、マイクロコンピュータ６は、制御回路３１を介してミューティング回路２９にミュート解除指示を出力する（ステップＳＴ１６）。これにより、元の局の中間周波数信号Ｓ１１に対応してデコーダ１９で生成された音声信号Ｓ１９ａに応じた音声出力がスピーカ４でなされる。
【００３３】
マイクロコンピュータ６は、一定時間が経過すると（ステップＳＴ１７）、切り換え候補先の局の放送電波の下側ヘテロダイン方式について、上述した上側ヘテロダイン方式と同様の処理を開始する。
このように、受信機１では、切り換え候補先の局の放送電波の下側ヘテロダイン方式により得た中間周波数信号を基にした適格性の評価と、切り換え候補先の局の放送電波の下側ヘテロダイン方式により得た中間周波数信号を基に下適格性の評価とを連続して行うのではなく、これらの間にミュート解除期間を設けている。これにより、１回のミュート時間を短縮している。
【００３４】
マイクロコンピュータ６は、上記一定時間が経過すると、制御回路３１を介して、ミューティング回路２９にミュート動作指示信号Ｓ３１ａを出力する。ミューティング回路２９は、当該ミュート動作指示信号Ｓ３１ａにより、ミュート信号Ｓ２９を生成し、これをスピーカ４に出力する（ステップＳＴ１８）。
また、マイクロコンピュータ６は、制御回路３１を介して、局発振回路１３を制御して、切り換え候補先の局の放送電波の下側ヘテロダイン方式の同調周波数への切り換え指示を出力する（ステップＳＴ１８）。
局発振回路１３は、上記切り替え指示に基づいて、切り換え候補先の局の放送電波の下側ヘテロダイン方式の同調周波数信号Ｓ１３を生成し、これを周波数変換回路１１に出力する。
これにより、周波数変換回路１１が、切り換え候補先の局の放送電波の下側ヘテロダイン方式にて中間周波数信号Ｓ１１を生成する。
【００３５】
制御回路３１は、上記下側ヘテロダイン方式にて得た中間周波数信号Ｓ１１に基づいて、切り換え候補先の局の放送電波の受信環境情報を取得する（ステップＳＴ１９）。
制御回路３１は、マイクロコンピュータ６からの要求に応じて、切り換え候補先の局の放送電波の上記下側ヘテロダイン方式にて取得した受信環境情報Ｓ３１ｃをマイクロコンピュータ６に出力する（ステップＳＴ１９）。
【００３６】
マイクロコンピュータ６は、制御回路３１から入力した受信環境情報Ｓ３１ｃに基づいて、局切り換えのための所定基準を満たすか否かを判断する（ステップＳＴ２０）。
当該所定基準は、例えば、切り換え候補先の局の放送電波の上記下側ヘテロダイン方式にて得た信号が、音声出力した場合にある程度の品質等を有しているかを判断する各種の項目を示している。ステップＳＴ２０で用いる所定基準は、例えば、ステップＳＴ１５で用いる所定基準と同じでよい。
マイクロコンピュータ６は、上記所定の基準を満たさないと判断した場合に、元の周波数に切り換えて、ミュートを解除する（ステップＳＴ４１）。その後、ステップＳＴ１３に戻る。
【００３７】
一方、マイクロコンピュータ６は、上記所定の基準を満たすと判断した場合に、制御回路３１を介して、元の局の放送電波のヘテロダイン方式の同調周波数への切り替え指示を周波数変換回路１１に出力する（ステップＳＴ２１）。
局発振回路１３は、上記切り替え指示に基づいて、元の局の放送電波のヘテロダイン方式の同調周波数信号Ｓ１３を生成し、これを周波数変換回路１１に出力する。
これにより、周波数変換回路１１が、元の局の放送電波のヘテロダイン方式にて中間周波数信号Ｓ１１を生成する。
また、マイクロコンピュータ６は、制御回路３１を介してミューティング回路２９にミュート解除指示を出力する（ステップＳＴ２１）。これにより、元の局の中間周波数信号Ｓ１１に対応してデコーダ１９で生成された音声信号Ｓ１９ａに応じた音声出力がスピーカ４でなされる。
【００３８】
マイクロコンピュータ６は、一定時間経過後に（ステップＳＴ２２）、ステップＳＴ１４で制御回路３１から入力した切り換え候補先の局の放送電波の上側ヘテロダイン方式についての受信環境情報と、ステップＳＴ１９で制御回路３１から入力した切り換え候補先の局の放送電波の下側ヘテロダイン方式についての受信環境情報とを比較して良い方の受信環境情報を選択して記憶（保持）する（ステップＳＴ２３）。
【００３９】
マイクロコンピュータ６は、ステップＳＴ２３で選択した受信環境情報が、局切り換えのための所定基準を満たすか否かを判断する（ステップＳＴ２４）。当該所定基準は、例えば、ステップＳＴ１５，ＳＴ２０で用いる所定基準より厳しい基準を用いる。
マイクロコンピュータ６は、上記所定基準を満たさないと判断した場合に、元の周波数に切り換えて、ミュートを解除する（ステップＳＴ４１）。その後、ステップＳＴ１３に戻る。
【００４０】
マイクロコンピュータ６は、上記所定基準を満たすと判断した場合に、一定時間が経過すると（ステップＳＴ２５）、制御回路３１を介して、ミューティング回路２９にミュート動作を行わせる。そして、マイクロコンピュータ６は、ステップＳＴ２３で選択した受信環境情報に対応した切り換え候補先の局の放送電波のヘテロダイン方式に切り換えて、再度、受信環境情報を取得する（ステップＳＴ２６）。
【００４１】
マイクロコンピュータ６は、ステップＳＴ２６で取得した受信環境情報が、局切り換えのための所定基準を満たすか否かを判断する（ステップＳＴ２７）。当該所定基準は、例えば、ステップＳＴ２５と同じものを用いる。
マイクロコンピュータ６は、上記所定基準を満たさないと判断した場合に、元の周波数に切り換えて、ミュートを解除する（ステップＳＴ４１）。その後、ステップＳＴ１３に戻る。このようにステップＳＴ２３で選択した受信環境情報に対応した切り換え候補先の局の放送電波のヘテロダイン方式について再度、受信環境を評価することで、受信電波の切り換えをより高い信頼性で行うことができる。
【００４２】
一方、マイクロコンピュータ６は、上記所定基準を満たすと判断した場合に、ＰＩサーチ、ＰＴＹサーチ、交通情報待機モード、ＡＦ切り換えモード等に必要なＲＤＳ情報を取得できたか否かを判断する（ステップＳＴ２８）。また、マイクロコンピュータ６は、例えば、受信局と同一ネットワークか否かの判断も行ってもよい。
マイクロコンピュータ６は、必要なＲＤＳ情報を取得できたと判断すると、ステップＳＴ２６で切り換えた後の放送電波を継続して受信し、ミュートを解除する（ステップＳＴ２９）。これより、ステップＳＴ２６で切り換えた後の放送電波のヘテロダイン方式により得られた中間周波数信号に応じた音声出力が行われる。
一方、マイクロコンピュータ６は、ＡＦ切り換えモード等に必要なＲＤＳ情報を取得できなかったと判断すると、元の周波数に切り換えて、ミュートを解除する（ステップＳＴ４１）。
【００４３】
以下、図２に示すステップＳＴ１２で、図４に示すステップＳＴ３１に移動した場合（一括取得モードが選択された場合）を説明する。
マイクロコンピュータ６は、制御回路３１を介して、ミューティング回路２９にミュート動作指示信号Ｓ３１ａを出力する。ミューティング回路２９は、当該ミュート動作指示信号Ｓ３１ａにより、ミュート信号Ｓ２９を生成し、これをスピーカ４に出力する（ステップＳＴ３１）。
また、マイクロコンピュータ６は、制御回路３１を介して、局発振回路１３を制御して、切り換え候補先の局の放送電波の上側ヘテロダイン方式の同調周波数への切り換え指示を出力する（ステップＳＴ３１）。
局発振回路１３は、上記切り替え指示に基づいて、切り換え候補先の局の放送電波の上側ヘテロダイン方式の同調周波数信号Ｓ１３を生成し、これを周波数変換回路１１に出力する。これにより、周波数変換回路１１が、切り換え候補先の局の放送電波の上側ヘテロダイン方式にて中間周波数信号Ｓ１１を生成する。
制御回路３１は、上記上側ヘテロダイン方式にて得た中間周波数信号Ｓ１１に基づいて、切り換え候補先の局の放送電波の受信環境情報を取得する（ステップＳＴ３１）。
【００４４】
次に、マイクロコンピュータ６は、制御回路３１を介して、局発振回路１３を制御して、切り換え候補先の局の放送電波の下側ヘテロダイン方式の同調周波数への切り換え指示を出力する（ステップＳＴ３１）。このように、一括取得モードでは、切り換え候補先の局の放送電波の下側ヘテロダイン方式についての適格性の評価と、切り換え候補先の局の放送電波の下側ヘテロダイン方式についての適格性の評価とを連続して行い、これらの間にミュート解除期間を設けない。これにより、切り換え時間を短縮している。
【００４５】
局発振回路１３は、上記切り替え指示に基づいて、切り換え候補先の局の放送電波の下側ヘテロダイン方式の同調周波数信号Ｓ１３を生成し、これを周波数変換回路１１に出力する。これにより、周波数変換回路１１が、切り換え候補先の局の放送電波の下側ヘテロダイン方式にて中間周波数信号Ｓ１１を生成する。制御回路３１は、上記下側ヘテロダイン方式にて得た中間周波数信号Ｓ１１に基づいて、切り換え候補先の局の放送電波の受信環境情報を取得する（ステップＳＴ３１）。
【００４６】
制御回路３１は、マイクロコンピュータ６からの要求に応じて、切り換え候補先の局の放送電波の上記上側ヘテロダイン方式および下側ヘテロダイン方式にて取得した受信環境情報Ｓ３１ｃをマイクロコンピュータ６に出力する（ステップＳＴ３１）。
【００４７】
マイクロコンピュータ６は、制御回路３１から入力した受信環境情報Ｓ３１ｃに基づいて、局切り換えのための所定基準を満たすか否かを判断する（ステップＳＴ３２）。当該所定基準としては、例えば、ステップＳＴ２４で用いたものが用いられる。
マイクロコンピュータ６は、上記所定の基準を満たさないと判断した場合に、元の周波数に切り換えて、ミュートを解除する（ステップＳＴ５１）。その後、ステップＳＴ３１に戻る。
【００４８】
一方、マイクロコンピュータ６は、上記所定の基準を満たしたと判断した場合に、元の周波数に切り換えて、ミュートを解除する（ステップＳＴ３３）。
マイクロコンピュータ６は、その後、一定時間経過後（ステップＳＴ３４）、再びステップＳ３５，ＳＴ３６において、前述したステップＳＴ３１，ＳＴ３２と同様の処理を繰り返す。
【００４９】
そして、マイクロコンピュータ６は、上記所定の基準を満たさないと判断した場合に、元の周波数に切り換えて、ミュートを解除する（ステップＳＴ５１）。その後、ステップＳＴ３１に戻る。
【００５０】
マイクロコンピュータ６は、上記所定の基準を満たしたと判断すると、ＰＩサーチ、ＰＴＹサーチ、交通情報待機モード、ＡＦ切り換えモード等に必要なＲＤＳ情報を取得できたか否かを判断する（ステップＳＴ３７）。
マイクロコンピュータ６は、必要なＲＤＳ情報を取得できたと判断すると、ステップＳＴ３５で最適と判断した放送電波を継続して受信し、ミュートを解除する（ステップＳ３８）。これより、ステップＳＴ３５で最適と判断した後の放送電波のヘテロダイン方式により得られた中間周波数信号に応じた音声出力が行われる。
一方、マイクロコンピュータ６は、ＡＦ切り換えモード等に必要なＲＤＳ情報を取得できなかったと判断すると、元の周波数に切り換えて、ミュートを解除する（ステップＳＴ５１）。
【００５１】
以下、タイミングチャートを用いて、受信機１におけるＡＲサーチ時の動作例を説明する。
図５および図６は、受信機１におけるＡＲサーチ動作の一例を説明するためのタイミングチャートを示す図である。
図５および図６では、受信機１において、Ａ局からの放送電波を受信中に、切り換え候補先であるＢ局からの放送電波の受信環境を確認した後に、Ｃ局からの放送電波の受信環境を確認して当該Ｃ局からの放送電波の上側ヘテロダイン方式に切り換える場合を示している。
図５（Ａ），図６（Ａ）は局発振回路１３が周波数変換回路１１に出力する同調周波数信号Ｓ１３を示し、図５（Ｂ），図６（Ｂ）は制御回路３１とマイクロコンピュータ６との間で入出力されるデータを示し、図５（Ｃ），図６（Ｃ）は制御回路３１からミューティング回路２９に出力されるミュート指示信号Ｓ３１ａを示し、図５（Ｄ），図６（Ｄ）はスピーカ４からの音声出力を示している。
【００５２】
図５に示すように、マイクロコンピュータ６が制御回路３１に、ミュート動作、並びに切り換え候補先のＢ局の放送電波の上側ヘテロダイン方式への切り換えを指示する制御信号Ｓ６を出力する（タイミングｔ１１〜ｔ１２、図２に示すステップＳＴ１３）。
そして、制御回路３１が、マイクロコンピュータ６からの制御信号Ｓ６に基づいてミュート指示信号Ｓ３１ａをローレベルに切り換える（タイミングｔ１２）。これにより、ミューティング回路２９が、ミュート信号をスピーカ４に出力し、ミュート動作が開始する。
また、制御回路３１が、制御信号Ｓ６に基づいて、Ｂ局の放送電波の上側ヘテロダイン方式への切り換えを指示する制御信号Ｓ３１ｂを局発振回路１３に出力する。局発振回路１３は、制御信号Ｓ３１ｂに基づいて、Ｂ局の放送電波の上側ヘテロダイン方式に対応した同調周波数信号Ｓ１３を周波数変換回路１１に出力させる。これにより、周波数変換回路１１において、上側ヘテロダイン方式の中間周波数信号Ｓ１１が生成される（タイミングｔ１３〜ｔ１４）。
この間に、制御回路３１が、当該Ｂ局の上側ヘテロダイン方式にて得た中間周波数信号について、受信電界強度、ＳＱ、ＩＦＣ等の受信環境情報を取得する（タイミングｔ１３〜ｔ１４、ステップＳＴ１４）。
【００５３】
制御回路３１は、一定時間（例えば、６ｍs）経過後に、元のＡ局の放送電波への切り換えを指示する制御信号３１ｂを局発振回路１３に出力する。これにより、局発振回路１３が、元のＡ局の放送電波に対応した同調周波数信号Ｓ１３を周波数変換回路１１に出力し、その中間周波数信号Ｓ１１が生成される（タイミングｔ１４〜）。このときミュート動作は継続している。
【００５４】
次に、マイクロコンピュータ６が受信環境情報を制御回路３１に要求する（タイミングｔ１５）。
制御回路３１は、当該要求に応じて、Ｂ局の放送電波の上側ヘテロダイン方式にて上記取得した受信環境情報をマイクロコンピュータ６に出力する（タイミングｔ１６）。
図５に示す例では、マイクロコンピュータ６は、Ｂ局の放送電波の上側ヘテロダイン方式にて上記取得した受信環境情報を基に、Ｂ局が局切り換えのための所定基準を満たしていないと判断し（図２に示すステップＳＴ１５）、元の周波数に切り換える（ステップＳＴ４１）。また、制御回路３１が、ミュート指示信号Ｓ３１ａをハイレベルに切り換える（タイミングｔ１７）。これにより、ミュート動作が解除され、Ａ局の放送電波に対応してデコーダ１９から入力した音声出力信号Ｓ１９に応じた音声がスピーカ４から出力される（タイミングｔ１８〜ｔ２２）。
【００５５】
マイクロコンピュータ６は、例えば、図５に示すタイミングｔ１８（Ａ局の放送電波による音声出力を開始して）から約５００ｍｓ経過後に、マイクロコンピュータ６が制御回路３１に、ミュート動作、並びに切り換え候補先のＣ局の放送電波の上側ヘテロダイン方式への切り換えを指示する制御信号Ｓ６を出力する（タイミングｔ２１〜ｔ２２、ＳＴ１３）。
そして、制御回路３１が、制御信号Ｓ６に基づいてミュート指示信号Ｓ３１ａをローレベルに切り換える（タイミングｔ２２）。これにより、ミューティング回路２９が、ミュート信号をスピーカ４に出力し、ミュート動作が開始する。
【００５６】
また、制御回路３１が、制御信号Ｓ６に基づいて、Ｃ局の放送電波の上側ヘテロダイン方式への切り換えを指示する制御信号Ｓ３１ｂを局発振回路１３に出力する。局発振回路１３は、制御信号Ｓ３１ｂに基づいて、Ｃ局の放送電波の上側ヘテロダイン方式に対応した同調周波数信号Ｓ１３を周波数変換回路１１に出力させる。これにより、周波数変換回路１１において、Ｃ局の上側ヘテロダイン方式にて中間周波数信号Ｓ１１が生成される（タイミングｔ２３〜ｔ２４）。
この間に、制御回路３１が、当該Ｃ局の上側ヘテロダイン方式について、受信電界強度、ＳＱ、ＩＦＣ等の受信環境情報を取得する（タイミングｔ２３〜ｔ２４、ステップＳＴ１４）。
【００５７】
制御回路３１は、一定時間（例えば、６ｍs）経過後に、元のＡ局の放送電波への切り換えを指示する制御信号３１ｂを局発振回路１３に出力する。これにより、局発振回路１３が、元のＡ局の放送電波に対応した同調周波数信号Ｓ１３を周波数変換回路１１に出力し、その中間周波数信号Ｓ１１が生成される（タイミングｔ２４〜）。このときミュート動作は継続している。
【００５８】
次に、マイクロコンピュータ６が受信環境情報を制御回路３１に要求する（タイミングｔ２５）。
制御回路３１は、当該要求に応じて、Ｃ局の放送電波の上側ヘテロダイン方式にて上記取得した受信環境情報をマイクロコンピュータ６に出力する（タイミングｔ２６）。
図５に示す例では、マイクロコンピュータ６は、Ｃ局の放送電波の上側ヘテロダイン方式にて上記取得した受信環境情報を基に、Ｃ局が局切り換えのための所定基準を満たしていると判断し（図２に示すステップＳＴ１５）、元の周波数に切り換える（ステップＳＴ１６）。また、制御回路３１が、ミュート指示信号Ｓ３１ａをハイレベルに切り換える（タイミングｔ２７）。これにより、ミュート動作が解除され、Ａ局の放送電波に対応してデコーダ１９から入力した音声出力信号Ｓ１９に応じた音声がスピーカ４から出力される（タイミングｔ２８〜ｔ３２）。
【００５９】
マイクロコンピュータ６は、例えば、図５に示すタイミングｔ２８（Ａ局の放送電波による音声出力を開始して）から一定時間経過後に、マイクロコンピュータ６が制御回路３１に、ミュート動作、並びに切り換え候補先のＣ局の放送電波の下側ヘテロダイン方式への切り換えを指示する制御信号Ｓ６を出力する（タイミングｔ３１〜ｔ３２、ＳＴ１８）。
そして、制御回路３１が、制御信号Ｓ６に基づいてミュート指示信号Ｓ３１ａをローレベルに切り換える（タイミングｔ３２）。これにより、ミューティング回路２９が、ミュート信号をスピーカ４に出力し、ミュート動作が開始する。
【００６０】
また、制御回路３１が、制御信号Ｓ６に基づいて、Ｃ局の放送電波の下側ヘテロダイン方式への切り換えを指示する制御信号Ｓ３１ｂを局発振回路１３に出力する。局発振回路１３は、制御信号Ｓ３１ｂに基づいて、Ｃ局の放送電波の下側ヘテロダイン方式に対応した同調周波数信号Ｓ１３を周波数変換回路１１に出力させる。これにより、周波数変換回路１１において、Ｃ局の下側ヘテロダイン方式にて得た中間周波数信号Ｓ１１が生成される（タイミングｔ３３〜ｔ３４）。
この間に、制御回路３１が、当該Ｃ局の下側ヘテロダイン方式にて、受信電界強度、ＳＱ、ＩＦＣ等の受信環境情報を取得する（タイミングｔ３３〜ｔ３４、ステップＳＴ１９）。
【００６１】
制御回路３１は、一定時間経過後に、元のＡ局の放送電波への切り換えを指示する制御信号３１ｂを局発振回路１３に出力する。これにより、局発振回路１３が、元のＡ局の放送電波に対応した同調周波数信号Ｓ１３を周波数変換回路１１に出力し、その中間周波数信号Ｓ１１が生成される（タイミングｔ３４〜）。このときミュート動作は継続している。
【００６２】
次に、マイクロコンピュータ６が受信環境情報を制御回路３１に要求する（タイミングｔ３５）。
制御回路３１は、当該要求に応じて、Ｃ局の放送電波の下側ヘテロダイン方式にて上記取得した受信環境情報をマイクロコンピュータ６に出力する（タイミングｔ３６）。
図５に示す例では、マイクロコンピュータ６は、Ｃ局の放送電波の下側ヘテロダイン方式にて上記取得した受信環境情報を基に、Ｃ局が局切り換えのための所定基準を満たしていると判断し（図２に示すステップＳＴ２０）、元の周波数に切り換える（ステップＳＴ２１）。また、制御回路３１が、ミュート指示信号Ｓ３１ａをハイレベルに切り換える（タイミングｔ３７）。これにより、ミュート動作が解除され、Ａ局の放送電波に対応してデコーダ１９から入力した音声出力信号Ｓ１９に応じた音声がスピーカ４から出力される（タイミングｔ３８〜ｔ４２）。
【００６３】
その後、マイクロコンピュータ６は、Ｃ局の放送電波についてステップＳＴ１４で取得した上側ヘテロダインの受信環境情報と、ステップＳＴ１９で受信した下側ヘテロダインの受信環境情報とを比較して良い方を選択して保持する（図３に示すステップＳＴ２３）。
そして、本実施形態では、マイクロコンピュータ６は、上記選択した受信環境情報が、所定基準を満たしていると判断する（ステップＳＴ２４）。
【００６４】
マイクロコンピュータ６は、制御回路３１のキャッチュフラグをチェックし、周波数切り換えモード判断を行う（タイミングｔ４０）。
マイクロコンピュータ６は、例えば、図５に示すタイミングｔ３８（Ａ局の放送電波による音声出力を開始して）から一定時間経過後に、マイクロコンピュータ６が制御回路３１に、ミュート動作、並びにステップＳＴ２３で選択した切り換え候補先のＣ局の放送電波の選択したヘテロダイン方式への切り換えを指示する制御信号Ｓ６を出力する（タイミングｔ４１〜ｔ４２、ステップＳＴ２６）。
【００６５】
そして、制御回路３１が、制御信号Ｓ６に基づいてミュート指示信号Ｓ３１ａをローレベルに切り換える（タイミングｔ４２）。これにより、ミューティング回路２９が、ミュート信号をスピーカ４に出力し、ミュート動作が開始する。
また、制御回路３１が、制御信号Ｓ６に基づいて、Ｃ局の放送電波の選択したヘテロダイン方式への切り換えを指示する制御信号Ｓ３１ｂを局発振回路１３に出力する。局発振回路１３は、制御信号Ｓ３１ｂに基づいて、Ｃ局の放送電波の選択したヘテロダイン方式に対応した同調周波数信号Ｓ１３を周波数変換回路１１に出力させる。これにより、周波数変換回路１１において、Ｃ局の選択したヘテロダイン方式にて中間周波数信号Ｓ１１が生成される（タイミングｔ４３〜）。
この間に、制御回路３１が、当該Ｃ局の選択したヘテロダイン方式について、受信電界強度、ＳＱ、ＩＦＣ等の受信環境情報を取得する（ステップＳＴ２６）。
【００６６】
次に、マイクロコンピュータ６が受信環境情報を制御回路３１に要求する（タイミングｔ４４，ｔ４６）。
制御回路３１は、当該要求に応じて、Ｃ局の放送電波の選択したヘテロダイン方式について上記取得した受信環境情報をマイクロコンピュータ６に出力する（タイミングｔ４５，ｔ４７）。
図６に示す例では、マイクロコンピュータ６は、Ｃ局の放送電波の選択したヘテロダイン方式について上記取得した受信環境情報を基に、Ｃ局が局切り換えのための所定基準を満たしていると判断し（図２に示すステップＳＴ２７）、そのままＣ局の放送電波の選択したヘテロダイン方式の周波数の中間周波数信号Ｓ１１を生成する。
また、制御回路３１が、ミュート指示信号Ｓ３１ａをハイレベルに切り換える（タイミングｔ２７）。これにより、ミュート動作が解除され、Ｃ局の放送電波の選択したヘテロダイン方式に対応してデコーダ１９から入力した音声出力信号Ｓ１９に応じた音声がスピーカ４から出力される（タイミングｔ５０〜）。
【００６７】
上述したように、図５および図６に示す例では、受信機１は、Ａ局の受信処理を行っているときに、ＡＦサーチを行い、Ｂ局の放送電波の上側ヘテロダイン方式についての受信環境を評価して不適切と判断する。続いて、受信機１は、ミュート解除期間を経て、Ｃ局の放送電波を評価する。このとき、受信機１は、Ｃ局の放送電波の上側ヘテロダイン方式と下側ヘテロダイン方式について受信環境の取得および評価を、ミュート解除期間を介して順次行い、最終的に例えば下側ヘテロダイン方式に切り換えている。
【００６８】
以上説明したように、受信機１では、図２および図３に示すように、放送電波の受信状態が比較的良好な場合に選択される分割取得モードにおいて、切り換え候補先の放送電波の上側ヘテロダインの受信環境情報の取得と、下側ヘテロダイン方式の受信環境情報の取得との間にミュート解除期間を設ける。これより、これらの動作を一括して行う場合に比べて連続したミュート時間を短縮でき、音が途切れることによる音質劣化を抑制することができる。
具体的には、上記動作を一括して行うと最大約１３ｍｓあったミュート時間が、受信機１では、最大７ｍｓとなり、大幅に短縮できる。
【００６９】
また、受信機１では、図２および図４に示すように、放送電波の受信状態が不良な場合に選択される一括取得モードにおいて、切り換え候補先の放送電波の上側ヘテロダイン方式の受信環境情報の取得と下側ヘテロダイン方式の受信環境情報の取得とを、ミュート解除期間を設けないで連続して実行する。これより、適切な放送電波への切り換えを分割取得モードに比べて短時間で行うことができ、受信状態が不良な放送電波を受信処理する期間を短くできる
【００７０】
また、受信機１では、上側ヘテロダイン方式だけでなく、上側および下側の双方のヘテロダイン方式の受信環境情報を取得し、最適な方を選択するため、１５０ｋＨｚと低い中間周波数のＬＯＷ−ＩＦを採用したチューナ２を用いた場合でも、イメージ妨害の影響を殆ど無くすことができる。
【００７１】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態では、図２に示すように、上側ヘテロダイン方式の受信環境確認の後に下側ヘテロダイン方式の受信環境確認を行ったが、これらを逆の順序で行ってもよい。
【００７２】
また、上述した実施形態では、図２のステップＳＴ１２に示すように、現在の受信環境が、所定の基準より良い場合に分割取得モードを選択し、悪い場合に一括取得モードを選択する場合を例示したが、分割取得モードのみを採用する場合にも本発明は適用可能である。
【００７３】
また、上述した実施形態では、図３に示すように、良い方のヘテロダイン方式の受信環境情報を再度取得して評価する（ステップＳＴ２６，ＳＴ２７）場合を例示したが、この処理を行わずに、良い方のヘテロダイン方式に無条件に切り換えるようにしてもよい。
【００７４】
また、受信機１は、図２に示すステップＳＴ１３〜ＳＴ２１の処理を２回以上繰り返すようにしてもよい。
【００７５】
また、上述した実施形態では、ＲＤＳ対応の受信機１を例示したが、受信処理する放送電波を受信環境に応じて自動的に切り換えるものであれば、ＲＤＳ対応のものに特に限定されるものではない。
【００７６】
また、上述した実施形態では、制御回路３１をチューナ２内の設け、マイクロコンピュータ６をチューナ２外に設けた場合を例示したが、制御回路３１およびマイクロコンピュータ６の双方をチューナ２内に設けてもよいし、あるいは制御回路３１およびマイクロコンピュータ６の双方をチューナ２外に設けてもよい。
【００７７】
なお、マイクロコンピュータ６を上記のように動作させるためのプログラムは、記録媒体から読みとられてマイクロコンピュータ６に取り込まれてもよいし、通信ネットワークを介して伝送されてマイクロコンピュータ６に取り込まれてもよい。さらには、制御回路３１の機能をプログラムによりコンピュータに実現させるようにしてもよい。このプログラムは、同様に記録媒体から読みとられてコンピュータに取り込まれてもよいし、通信ネットワークを介して伝送されてコンピュータに取り込まれてもよい。
【産業上の利用可能性】
【００７８】
本発明は、受信処理を行う放送電波を受信環境に応じて切り換えるシステムに適用可能である。
【図面の簡単な説明】
【００７９】
【図１】本発明の実施形態に係る受信機の構成図である。
【図２】図１に示す受信機のＡＦサーチ動作例を説明するためのフローチャートである。
【図３】図１に示す受信機のＡＦサーチ動作例を説明するための図２の続きのフローチャートである。
【図４】図１に示す受信機のＡＦサーチ動作例を説明するための図２の続きのフローチャートである。
【図５】図１に示す受信機におけるＡＲサーチ時の動作例を説明するためのタイミングチャートを示す図である。
【図６】図１に示す受信機におけるＡＲサーチ時の動作例を説明するための図５の続きのタイミングチャートを示す図である。
【符号の説明】
【００８０】
１…受信機
２…チューナ
９…アンテナ
１１…周波数変換回路
１３…局発振回路
１５…中間周波数増幅回路
１７…検波回路
１９…デコーダ
２１…電界強度回路
２９…ミューティング回路
３１…制御回路
４…スピーカ
６…マイクロコンピュータ
【図１】
2009049954.tif 000003
【図２】
2009049954.tif 000004
【図３】
2009049954.tif 000005
【図４】
2009049954.tif 000006
【図５】
2009049954.tif 000007
【図６】
2009049954.tif 000008